(57)【特許請求の範囲】
【請求項１】
管本体の一端側の第１口金部から突出した２本の第１ランプピンおよび他端側の第２口金部から突出した１本の第２ランプピンを備えた直管形ランプを装着可能な電気絶縁性のソケット本体と、該ソケット本体に設けられ前記直管形ランプの前記第１ランプピンおよび前記第２ランプピンをそれぞれ個別に電気的に接続可能な導電部とを備えたランプソケットであって、
前記ソケット本体は、一表面側に前記直管形ランプにおける前記第１口金部が当接可能であり、且つ前記第１口金部から突出した前記２本の第１ランプピンを挿入する一対の第１の挿入口を備えた第１の受口面と、前記一表面と反対の他表面側に別の前記直管形ランプの前記第２口金部が当接可能であり、且つ前記第２口金部から突出した前記１本の第２ランプピンを挿入する第２の挿入口を備えた第２の受口面とを有し、前記導電部は、前記２本の第１ランプピンとそれぞれ電気的に接続可能な一対の第１の導電板と、前記１本の第２ランプピンと電気的に接続可能な第２の導電板とを有し、
前記一表面側および前記他表面側にそれぞれ前記直管形ランプを対向して直線状に装着させる装着位置において、前記一対の第１の導電板が、それぞれ前記２本の第１ランプピンと各別に接触する第１接触片を備えるとともに、前記第２の導電板が、前記１本の第２ランプピンと接触する第２接触片を備えており、
一対の前記第１の導電板および前記第２の導電板の前記第１の受口面への投影視において、一対の前記第１接触片同士の間に前記第２接触片を位置してなることを特徴とするランプソケット。
【請求項２】
前記第１の導電板および前記第２の導電板は、前記第１の受口面と平行な面に沿って隣り合って配置されていることを特徴とする請求項１に記載のランプソケット。
【請求項３】
前記第１の挿入口および前記第２の挿入口は、前記ソケット本体の外周面側から中心部側に向かって設けられた直線状溝部の開口部であり、前記装着位置において、前記各第１接触片と前記２本の第１ランプピンとがそれぞれ接触するとともに、前記第２接触片と前記１本の第２ランプピンとが接触することを特徴とする請求項２に記載のランプソケット。
【請求項４】
前記ソケット本体は、少なくとも前記第１の受口面側から前記第１の受口面の法線方向に突出して前記直管形ランプの前記第１口金部における外周の一部を機械的に保持する保持部を有することを特徴とする請求項３に記載のランプソケット。
【請求項５】
前記ソケット本体は、前記第１の受口面および前記第２の受口面それぞれに、前記直管形ランプの重力が掛かる方向と垂直方向に沿って前記直線状溝部を設けていることを特徴とする請求項３に記載のランプソケット。
【請求項６】
前記ソケット本体は、前記ソケット本体の外周面側から中心部側に向かって設けられた直線状溝部と、該直線状溝部の前記中心部側の端部で前記直線状溝部と連続し前記直管形ランプを軸方向の回りで回転させる回転方向で前記第１ランプピンを案内可能な弧状溝部とを備え、前記第１の挿入口は、前記直線状溝部と前記弧状溝部の開口部であり、前記装着位置において、前記２本の第１ランプピンが前記弧状溝部内に配置された前記第１の接触片に機械的に保持されることを特徴とする請求項２に記載のランプソケット。
【請求項７】
前記ソケット本体は、前記一表面側に設けられ該一表面と垂直方向に突出し前記ソケット本体の内部側に移動可能なプランジャと、前記ソケット本体の内部にあって前記ソケット本体の内部側から前記ソケット本体の外部側に前記プランジャを押圧する押圧部材とを有し、前記プランジャが前記第１の受口面を備え、前記第１の受口面は、該第１の受口面と垂直方向に前記２本の第１ランプピンが挿入されて該第１ランプピンと前記第１の導電板とが電気的に接続される一対の前記第１の挿入口を備え、前記プランジャの前記突出した位置から前記装着位置に至るまでに前記プランジャの移動方向と垂直方向において、前記第１の導電板と前記第２の導電板とが隣り合って配置されてなることを特徴とする請求項１に記載のランプソケット。
【請求項８】
前記ソケット本体は、前記他表面側に設けられ該他表面と垂直方向に突出し前記ソケット本体の内部側に移動可能なプランジャと、前記ソケット本体の内部にあって前記ソケット本体の内部側から前記ソケット本体の外部側に前記プランジャを押圧する押圧部材とを有し、前記他表面側に設けられた前記プランジャが第２の受口面を備え、該第２の受口面は、前記第２の受口面と垂直方向に前記１本の第２ランプピンが挿入されて該第２ランプピンと前記第２の導電板とが電気的に接続される前記第２の挿入口を備え、前記他表面側に設けられた前記プランジャの前記突出した位置から前記装着位置に至るまでに前記プランジャの移動方向と垂直方向において、前記第１の導電板と前記第２の導電板とが隣り合って配置されてなることを特徴とする請求項１または請求項７に記載のランプソケット。
【請求項９】
請求項１ないし請求項８に記載のいずれか１項のランプソケットを備えた複数台の照明器具が直線状に配列されてなることを特徴とする照明装置。
【発明の詳細な説明】
【技術分野】
【０００１】
本発明は、直管形ランプを装着させるランプソケットおよびそれを備えた照明装置に関する。
【背景技術】
【０００２】
従来から、家庭用や施設用などの照明装置として、直管形ランプを装着するランプソケットを備えた照明装置が広く用いられている。ランプソケットには、少なくとも２本の直管形ランプが直線状に配設される照明装置に使用されるものがある。
【０００３】
この種のランプソケットとして、直管形ランプの相対する各々の口金部を接続するために、ソケット本体の一表面側および該一表面と反対の他表面側の各々に設けられた開口部と、該開口部に設けられ直管形ランプの口金部から突出する一対のランプピンが各々挿入されて直管形ランプの軸方向の回りに回転する回転子とを有するものが知られている（たとえば、特許文献１）。
【０００４】
このランプソケットは、上記一表面側および上記他表面側に一対づつ設けられ回転子に挿入された上記ランプピン各々に接触が可能な接触片を備えている。そのため、ランプソケットは、ソケット本体の一表面側および他表面側にそれぞれ直管形ランプを直線状に対向させて軸方向の回りに回転することにより装着させる装着位置において、一対のランプピンが上記一表面側および上記他表面側それぞれで各接触片と接触する。
【０００５】
２本の直管形蛍光ランプを直線状に配設させる場合、上述のランプソケットは、蛍光ランプたる直管形蛍光ランプの口金部から突出する一対のランプピンを上記一表面側あるいは上記他表面側だけに挿入可能な２つのランプソケットを備えた照明装置と比較して、ランプソケットの使用数が減る分だけ、照明装置の直管形ランプの軸方向におけるランプソケットの厚み分に起因した非発光領域を小さくすることが可能となる。
【先行技術文献】
【特許文献】
【０００６】
【特許文献１】特開２００５−５０７２９号公報
【発明の概要】
【発明が解決しようとする課題】
【０００７】
しかしながら、上述の特許文献１に開示されたランプソケットでは、直管形ランプの一対の口金部それぞれから突出した２本のランプピンを挿入し、直管形ランプの軸方向の回りで回転させる回転子をソケット本体の一表面側および他表面側それぞれに備えている。そのため、ランプソケットは、各接触片がランプソケットの内部の仕切板で仕切られた上記一表面側および上記他表面側にそれぞれ位置されている。このため、ランプソケットの厚みは、２本の直管形ランプを直線状に配設させるために、直管形ランプの口金部から突出するランプピンを一表面側だけに挿入する２つのランプソケットを隣接させるものと比較しても、ソケット本体の壁の厚み分が薄型化できるにしかすぎなかった。
【０００８】
したがって、簡便な構成で、より薄型化が可能なランプソケットが求められる現在においては、上述のランプソケットの構成では十分ではない。また、簡便な構成で、非発光領域が、より小さい照明装置が求められる現在においては、上述のランプソケットを備えた照明装置の構成だけでは十分ではなく、更なる改良が求められている。
【０００９】
また、近年、蛍光ランプに比べて長寿命で、消費電力をより低くすることが可能な発光ダイオードを用いたＬＥＤランプが普及しつつあり、直管形蛍光ランプの代替光源としての直管形ＬＥＤランプおよび該直管形ＬＥＤランプを装着させる直管形ＬＥＤランプ専用照明装置が開発されつつある。なお、直管形ＬＥＤランプは、管本体の一端側の口金部から突出した２本のランプピンおよび他端側の口金部から突出した１本のランプピンを備えた構造をしており、日本電球工業会による規格（ＪＥＬ８０１：２０１０）「Ｌ形口金付直管形ＬＥＤランプシステム（一般照明用）」も制定されている。
【００１０】
現在のところ、直管形ＬＥＤランプが装着されるランプソケットにおいても、上述の直管形ランプのランプピンの形状や配置の特徴を活かし、簡便な構成で、より薄型化が可能なランプソケットは知られていない。また、２本の直管形ＬＥＤランプが直線状に配設される照明装置において、上述の直管形ランプのランプピンの形状や配置の特徴を活かし、直管形ランプの軸方向における非発光領域を、より小さくすることが可能なものも何ら知られていない。
【００１１】
本発明は、上記事由に鑑みてなされたものであり、その目的は、簡便な構成で、より薄型化が可能なランプソケットおよび、非発光領域がより小さい照明装置を提供することにある。
【課題を解決するための手段】
【００１２】
本発明のランプソケットは、管本体の一端側の第１口金部から突出した２本の第１ランプピンおよび他端側の第２口金部から突出した１本の第２ランプピンを備えた直管形ランプを装着可能な電気絶縁性のソケット本体と、該ソケット本体に設けられ上記直管形ランプの上記第１ランプピンおよび上記第２ランプピンをそれぞれ個別に電気的に接続可能な導電部とを備えたランプソケットであって、上記ソケット本体は、一表面側に上記直管形ランプにおける上記第１口金部が当接可能であり、且つ上記第１口金部から突出した上記２本の第１ランプピンを挿入する一対の第１の挿入口を備えた第１の受口面と、上記一表面と反対の他表面側に別の上記直管形ランプの上記第２口金部が当接可能であり、且つ上記第２口金部から突出した上記１本の第２ランプピンを挿入する第２の挿入口を備えた第２の受口面とを有し、上記導電部は、上記２本の第１ランプピンとそれぞれ電気的に接続可能な一対の第１の導電板と、上記１本の第２ランプピンと電気的に接続可能な第２の導電板とを有し、上記一表面側および上記他表面側にそれぞれ上記直管形ランプを対向して直線状に装着させる装着位置において、上記一対の第１の導電板が、それぞれ上記２本の第１ランプピンと各別に接触する第１接触片を備えるとともに、上記第２の導電板が、上記１本の第２ランプピンと接触する第２接触片を備えており、一対の上記第１の導電板および上記第２の導電板の上記第１の受口面への投影視において、一対の上記第１接触片同士の間に上記第２接触片を位置してなることを特徴とする。
【００１３】
このランプソケットにおいて、上記第１の導電板および上記第２の導電板は、上記第１の受口面と平行な面に沿って隣り合って配置されていることが好ましい。
【００１４】
このランプソケットにおいて、上記第１の挿入口および上記第２の挿入口は、上記ソケット本体の外周面側から中心部側に向かって設けられた直線状溝部の開口部であり、上記装着位置において、上記各第１接触片と上記２本の第１ランプピンとがそれぞれ接触するとともに、上記第２接触片と上記１本の第２ランプピンとが接触することが好ましい。
【００１５】
このランプソケットにおいて、上記ソケット本体は、少なくとも上記第１の受口面側から上記第１の受口面の法線方向に突出して上記直管形ランプの上記第１口金部における外周の一部を機械的に保持する保持部を有することが好ましい。
【００１６】
このランプソケットにおいて、上記ソケット本体は、上記第１の受口面および上記第２の受口面それぞれに、上記直管形ランプの重力が掛かる方向と垂直方向に沿って上記直線状溝部を設けていることが好ましい。
【００１７】
このランプソケットにおいて、上記ソケット本体は、上記ソケット本体の外周面側から中心部側に向かって設けられた直線状溝部と、該直線状溝部の上記中心部側の端部で上記直線状溝部と連続し上記直管形ランプを軸方向の回りで回転させる回転方向で上記第１ランプピンを案内可能な弧状溝部とを備え、上記第１の挿入口は、上記直線状溝部と上記弧状溝部の開口部であり、上記装着位置において、上記２本の第１ランプピンが上記弧状溝部内に配置された上記第１の接触片に機械的に保持されることが好ましい。
【００１８】
このランプソケットにおいて、上記ソケット本体は、上記一表面側に設けられ該一表面と垂直方向に突出し上記ソケット本体の内部側に移動可能なプランジャと、上記ソケット本体の内部にあって上記ソケット本体の内部側から上記ソケット本体の外部側に上記プランジャを押圧する押圧部材とを有し、上記プランジャが上記第１の受口面を備え、上記第１の受口面は、該第１の受口面と垂直方向に上記２本の第１ランプピンが挿入されて該第１ランプピンと上記第１の導電板とが電気的に接続される一対の上記第１の挿入口を備え、上記プランジャの上記突出した位置から上記装着位置に至るまでに上記プランジャの移動方向と垂直方向において、上記第１の導電板と上記第２の導電板とが隣り合って配置されてなることが好ましい。
【００１９】
このランプソケットにおいて、上記ソケット本体は、上記他表面側に設けられ該他表面と垂直方向に突出し上記ソケット本体の内部側に移動可能なプランジャと、上記ソケット本体の内部にあって上記ソケット本体の内部側から上記ソケット本体の外部側に上記プランジャを押圧する押圧部材とを有し、上記他表面側に設けられた上記プランジャが第２の受口面を備え、該第２の受口面は、上記第２の受口面と垂直方向に上記１本の第２ランプピンが挿入されて該第２ランプピンと上記第２の導電板とが電気的に接続される上記第２の挿入口を備え、上記他表面側に設けられた上記プランジャの上記突出した位置から上記装着位置に至るまでに上記プランジャの移動方向と垂直方向において、上記第１の導電板と上記第２の導電板とが隣り合って配置されてなることが好ましい。
【００２０】
本発明の照明装置は、上述のいずれかのランプソケットを備えた複数台の照明器具が直線状に配列されてなることを特徴とする。
【発明の効果】
【００２１】
本発明のランプソケットは、簡便な構成で、より薄型化が可能なランプソケットを提供できるという顕著な効果がある。
【００２２】
本発明の照明装置は、簡便な構成で、非発光領域がより小さい照明装置を提供できるという顕著な効果がある。
【図面の簡単な説明】
【００２３】
【図１】実施形態１のランプソケットを示し、（ａ）はソケット本体の一表面側の外観斜視図、（ｂ）はソケット本体の他表面側の外観斜視図である。
【図２】同上のランプソケットを示す平面図である。
【図３】同上のランプソケットを示し、（ａ）はソケット本体の一表面側から見た分解斜視図、（ｂ）はソケット本体の他表面側から見た分解斜視図である。
【図４】同上のランプソケットに装着される直管形ランプを示し、（ａ）は正面図、（ｂ）は一端側の口金たる第１口金部に他端側の口金たる第２口金部のランプピンを投影した側面説明図である。
【図５】同上の他のランプソケットを示す正面図である。
【図６】同上のランプソケットを備えた照明装置に直管形ランプを装着させる模式的説明図を示し、（ａ）はソケット本体の一表面側、（ｂ）はソケット本体の他表面側である。
【図７】同上の直管形ランプを装着させたランプソケットを備える照明装置を示し、（ａ）は側面図、（ｂ）は平面図である。
【図８】実施形態２のランプソケットを示し、（ａ）は模式的側断面図、（ｂ）は（ａ）のＸＸ断面図である。
【図９】実施形態３の照明装置を示す概略構成図である。
【発明を実施するための形態】
【００２４】
（実施形態１）
本実施形態のランプソケットを図１ないし図３に基づいて説明し、直管形ランプを図４に基づいて説明する。なお、各図において、同様の構成要素に対しては、同じ番号を付して重複する説明を省略している。
【００２５】
最初に、本実施形態のランプソケット１０に装着するＬ形口金付直管形ＬＥＤランプからなる直管形ランプ２０について説明する。直管形ランプ２０は、透光性材料（たとえば、ガラスや合成樹脂など）により円筒形状の直管に形成された管本体である発光管２１を備えている。発光管２１の軸方向の両端部には、口金がそれぞれ設けられている。本実施形態のランプソケット１０と接続される直管形ランプ２０は、一方の端部における上記口金として、発光管２１の一端部側を覆うように、有底円筒状の給電用の第１口金部２２が設けられている。また、直管形ランプ２０は、他方の端部における上記口金として、発光管２１の軸方向の他端部側を覆うように、有底円筒状の接地用の第２口金部２３が設けられている。
【００２６】
発光管２１の内部には、図示していないが発光管２１よりも全長が若干短い実装基板（たとえば、セラミック基板など）が収納されている。実装基板の一表面側には白色光が発光可能な複数個の発光ダイオード（図示していない）を所定の間隔で実装して電気的に接続する実装パターンが形成されている。また、実装基板の他表面側には、該他表面側と接する底面部から突出した側壁部が発光ダイオードからの光を所定の方向に反射させる断面Ｃ字形状のアルミニウム材料からなる反射板（図示していない）を備えている。なお、反射板は、実装基板の他表面側から上記底面部を介して発光ダイオードの熱を外部に放出させるヒートシンクとしても機能する。
【００２７】
直管形ランプ２０の第１口金部２２の端面には、径方向における中央部の両側に略半円状に凹んだ凹部２２ｂ，２２ｂが設けられ（図４（ｂ）を参照）、中央部には凹部２２ｂよりも前方に突出した略直方体状の突出部２２ａが設けられている。突出部２２ａには、円筒形状の発光管２１の中心軸（図示していない）を挟んで対称な位置に、金属材料により板状に形成され、直管形ランプ２０の軸方向に沿って突出する給電用のランプピンたる２本の第１ランプピン２４，２４が略平行に設けられている。各第１ランプピン２４は、直管形ランプ２０の軸方向と平行に突出した板状突出部２４ａと、板状突出部２４ａの先端部が略直角に曲げられて、上記中心軸に向かう方向と反対側の外側方向に突出している折曲部２４ｂとを備えている。
【００２８】
２本の第１ランプピン２４，２４は、たとえば、発光管２１の内部で図示していないリード線を介して上記実装基板と電気的に接続させている。なお、実装基板には、発光ダイオードが実装されるとともに発光ダイオードを電気的に保護する全波整流器などの回路部品（図示していない）も実装させている。すなわち、直管形ランプ２０は、いずれの第１ランプピン２４，２４がランプソケット１０を介して外部の直流電源の正極側と接続された場合でも、各発光ダイオードに順方向電流が流れるように、２本の第１ランプピン２４，２４と、各発光ダイオードとを全波整流器を介して電気的に接続させた構造としている。したがって、２本の第１ランプピン２４，２４は、直管形ランプ２０の発光ダイオードに給電する端子として機能する。
【００２９】
なお、直管形ランプ２０に収容されている発光ダイオードは、図示していないが、たとえば、通電することにより、ピーク波長が、４２０ｎｍ〜４９０ｎｍの範囲内にある青色光を放射するＬＥＤチップと、ＬＥＤチップを収納する収納凹所が一表面に設けられたセラミック（たとえば、アルミナなど）製のパッケージ本体とを備えている。収納凹所には、ＬＥＤチップから放射された青色光の一部を吸収し、より長波長の蛍光（たとえば、黄色光）を発する蛍光体（たとえば、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４など）が含有された透光性樹脂（たとえば、シリコーン樹脂、エポキシ樹脂、アクリル樹脂やポリカーボネート樹脂など）からなる波長変換部材が充填されている。また、発光ダイオードは、パッケージ本体の他表面に外部接続用電極（図示していない）が設けられており、該外部接続用電極と上記実装基板の実装パターンとが半田からなる接合部（図示していない）を介して電気的に接続されている。
【００３０】
直管形ランプ２０の他端側の口金となる第２口金部２３は、直管形ランプ２０の軸方向に沿って第２口金部２３から突出する接地用のランプピンたる１本の第２ランプピン２５を備えている。第２ランプピン２５は、第２口金部２３の端面の中心部から軸方向に沿って突出し、金属材料により丸棒状に形成された軸部２５ａを備えている。軸部２５ａの先端部には、軸方向から見た形状が直管形ランプ２０の第１口金部２２から突出する２本の第１ランプピン２４，２４が並ぶ方向と平行方向を、長手方向とする長円形状に形成され、軸部２５の軸径よりも大きな径大部２５ｂを備えている（図４（ｂ）を参照）。なお、径大部２５ｂは、金属材料からなり軸部２５ａと一体に形成されている。すなわち、第２ランプピン２５は、直管形ランプ２０の軸方向と平行方向に突出した丸棒状の軸部２５ａと、径大部２５ｂとで構成されている。第２ランプピン２５は、上記実装基板の実装パターンと電気的に接続して接地用のアースピンとして機能させている。すなわち、直管形ランプ２０は、一端部側の第１口金部２２から給電する片側給電方式となっている。
【００３１】
このような直管形ランプ２０を装着可能な本実施形態のランプソケット１０は、図１（ａ），（ｂ）に示すように、ソケット本体５の一表面５ａ側に、直管形ランプ２０の第１口金部２２の突出部２２ａが当接可能であり、且つ第１口金部２２から突出した２本の第１ランプピン２４，２４を挿入する一対の第１の挿入口２ａ，２ａを備えた第１の受口面１ａを有している。また、ランプソケット１０は、一表面５ａと反対の他表面５ｂ側に、別の直管形ランプ２０の第２口金部２３が当接可能であり、且つ第２口金部２３から突出した１本の第２ランプピン２５を挿入する第２の挿入口２ｂを備えた第２の受口面１ｂを有している。
【００３２】
ランプソケット１０のソケット本体５は、開口部６ｆを備え内部が空洞なボディ６と、ボディ６の開口部６ｆを覆うように設けられるカバー７とを備えている（図３（ａ）を参照）。ソケット本体５の一表面５ａ側には、ホディ６の内部の空洞に収納され、直管形ランプ２０の２本の第１ランプピン２４，２４と個別に電気的に接続可能な導電部３を構成する給電用の導電板たる一対の第１の導電板３ａ，３ａが備えられている。また、ソケット本体５の他表面５ｂ側には、ソケット本体５の側面となるボディ６の外周面６ａ側から中心部側に向かって設けられた１つの直線状溝部５ｄに収容され、直管形ランプ２０の１本の第２ランプピン２５と電気的に接続可能な導電部３を構成する接地用の導電板たる第２の導電板３ｂが備えられている（図３（ｂ）を参照）。
【００３３】
ボディ６は、合成樹脂により略直方体状に形成され、その上面（図１中の上側）は、左右方向（図１中の左右方向）の中央部が両側部に比べて上側に凸となる曲面状にしている。また、カバー７は、合成樹脂により形成しており、ボディ６の開口部６ｆを覆うような平板状に形成している。すなわち、ソケット本体５は、合成樹脂を用いて形成することで電気絶縁性を備えている。ソケット本体５の一表面５ａ側には、ソケット本体５の側面となる外周面６ａ側から中心部側に向かって略平行な２つの直線状溝部５ｃ，５ｃが設けられている。２つの直線状溝部５ｃ，５ｃは、直線状溝部５ｃ，５ｃの開口部が直管形ランプ２０の第１ランプピン２４，２４をそれぞれ挿入する第１の挿入口２ａ，２ａとして機能する。なお、ボディ６の上面側には、図２に示すように、第１ランプピン２４の板状突出部２４ａから曲げられた折曲部２４ｂが挿入できるように、各第１の挿入口２ａの幅を広くした幅広部２ａａを備えている。
【００３４】
一対の第１の導電板３ａは、それぞれ導電性の良好な金属材料（たとえば、銅合金など）の板状体を折り曲げ加工して形成される。第１の導電板３ａは、ボディ６の上記空洞における内底面６ｄ側に固定される中央片３ａａと、中央片３ａａの一側縁から上側（図３中の上方）に突出しボディ６の上記空洞内で段状に突出した内段部６ｅと当接してボディ６に保持されてなる保持片３ａｅと、中央片３ａａの他側縁で保持片３ａｅよりも長く保持片３ａｅと略平行に中央片３ａａから延設されてなる延設片３ａｂとを備えている。延設片３ａｂは、延設片３ａｂの先端部に直管形ランプ２０の第１ランプピン２４と接触する第１接触片３ａｃと、第１接触片３ａｃの先端部から保持片３ａｅ側と反対の外側に広くなるように折り曲げられたガイド片３ａｄとを備えている。なお、第１接触片３ａｃは、略Ｖ字形に折り曲げられ、上下方向の中間部が両側部よりも左右方向に突出している。第１接触片３ａｃの形状は、第１ランプピン２４と接触可能な限り、Ｖ字形に限られず、平板状など種々の形状で形成すればよい。延設片３ａｂは、先端部に設けられた第１接触片３ａｃよりも幅広に形成している。延設片３ａｂは、第１ランプピン２４の直線状溝部５ｃへの挿入に伴って、第１ランプピン２４の折曲部２４ｂがボディ６の内部側へ挿入されすぎないように、延設片３ａｂの先端部で折曲部２４ｂの移動を規制する規制端部３ａｆが露出している。
【００３５】
また、第１の導電板３ａは、第１の挿入口２ａ内に第１接触片３ａｃが配置されるように、ガイド片３ａｄを上側、中央片３ａａを下側にしてボディ６の内部の空洞内に収納されている。ランプソケット１０の第１の受口面１ａは、直管形ランプ２０の突出部２２ａと当接し、ソケット本体５の一対の平行な第１の挿入口２ａ，２ａを備える直線状溝部５ｃ，５ｃの側壁と、第１の導電板３ａ，３ａとが直管形ランプ２０の第１ランプピン２４を保持している。ここで、直管形ランプ２０をランプソケット１０に装着した場合、各第１ランプピン２４の板状突出部２４ａは、第１の導電板３ａのＶ字形に折り曲げられた第１接触片３ａｃに抱え込まれ、第１ランプピン２４がランプソケット１０側に保持される。第１ランプピン２４の板状突起部２４ａは、第１の導電板３ａの第１接触片３ａｃに保持されることで、直管形ランプ２０がランプソケット１０から抜けにくくなる。また、直管形ランプ２０がランプソケット１０から抜けそうになった場合でも、第１ランプピン２４と第１接触片３ａｃとの電気的な接続が安定するから、電気的な接続不良に伴い生ずるアーク放電などが発生しにくくなる。なお、ソケット本体５には、ボディ６の内部に貫通する複数個（ここでは、４個）の貫設孔４を備えており、該貫設孔４の少なくとも２つを一対の第１の導電板３ａ側と電気的に接続可能な電線（図示していない）の挿入孔としている。また、第１の導電板３ａは、貫通孔４に挿入された上記電線と、電気的に簡便に接続できるように速結端子を備えた構成としてもよい。
【００３６】
また、ランプソケット１０は、ソケット本体５の他表面５ｂ側にボディ６の外周面６ａ側から中心部側に向かって、ボディ６の外部側に設けられた直線状溝部５ｄを備えている。直線状溝部５ｄの内部には、直管形ランプ２０の第２ランプピン２５と電気的に接続可能な導電部３を構成する第２の導電板３ｂを備えている。ボディ６の外部側の直線状溝部５ｄの開口部が、直管形ランプ２０の第２ランプピン２５を挿入する第２の挿入口２ｂとなる。
【００３７】
１本の第２ランプピン２５と電気的に接続可能な第２の導電板３ｂは、導電性の良好な金属材料（たとえば、銅合金など）の板状体を折り曲げ加工して形成される。第２の導電板３ｂは、ボディ６の外部側に設けられた直線状溝部５ｄの一端面６ｂに固定される中央片３ｂａと、中央片３ｂａの両側縁からそれぞれ上側に突出する一対の保持片３ｂｂ，３ｂｂと、各保持片３ｂｂの先端部に設けられ直管形ランプ２０の第２ランプピン２５と接触する第２接触片３ｂｃと、第２接触片３ｂｃの先端部からそれぞれ外側に折り曲げられたガイド片３ｂｄとを備えている。また、第２の導電板３ｂは、中央片３ｂａの中央端部から保持片３ｂｂの延設方向と反対方向に延設する導通片３ｂｅを備えている。一対の第２接触片３ｂｃ，３ｂｃは、第２ランプピン２５の軸部２５ａを挟持できるように、互いに対向して略Ｖ字形に折り曲げられ、上下方向の中間部が両側部よりも左右方向に突出している。なお、一対の第２接触片３ａｃ，３ａｃの形状は、第２ランプピン２５と接触可能な限り、Ｖ字形に限られず、平板状など種々の形状で形成すればよい。また、導通片３ｂｅは、中央片３ｂａとは反対側の端部に予めリード線（図示していない）を接続させたものや速結端子（図示していない）を備えたものであってもよい。
【００３８】
第２の導電板３ｂは、ボディ６の第２の挿入口２ｂにおける左右両側に一対の第２接触片３ｂｃ，３ｂｃがそれぞれ配置されるように、ガイド片３ｂｄを上側（図３中の上方）、中央片３ｂａを下側（図３中の下方）にしてボディ６の外部側に設けられた直線状溝部５ｄ内に収納されている。ランプソケット１０の第２の受口面１ｂでは、ボディ６の第２の挿入口２ｂが設けられる直線状溝部５ｄ内の第２の導電板３ｂが、直管形ランプ２０の第２口金部２３から突出した第２ランプピン２５を保持する。なお、第２接触片３ｂｃそれぞれは、直管形ランプ２０の第２ランプピン２５を一対の第２接触片３ｂｃ，３ｂｃの間に挿入させるに伴って、第２の挿入口２ｂにおける左右方向に離間する方向に移動できるように第２の挿入口２ｂ内の直線状溝部５ｄとの間に隙間が設けられている。
【００３９】
なお、ソケット本体５における第２の挿入口２ｂを構成する直線状溝部５ｄの下端側には、第２ランプピン２５の径大部２５ｂの長径方向における幅よりも狭い溝状の幅狭部６ｃを備えている。幅狭部６ｃは、第２の導電板３ｂの導通片３ｂｅを収納させている。第２の導電板３ｂは、接地用のアースピンとなる第２ランプピン２５と電気的に接続させることで、導通片３ｂｅを接地用のアース端子として機能させることができる。
【００４０】
本実施形態のランプソケット１０は、管本体である発光管２１の一端側の第１口金部２２から突出した２本の第１ランプピン２４，２４が２本、他端側の第２口金部２３から突出した１本のランプピン２５を備えた直管形ランプ２０のランプピン２４，２５の形状や配置の特徴を生かし、簡便な構成でランプソケット１０の薄型化を図っている。すなわち、本実施形態のランプソケット１０は、ソケット本体５の一表面５ａおよび他表面５ｂの両面側にそれぞれ別の直管形ランプ２０を対向して直線状に装着させる装着位置において、一対の第１の導電板３ａが、それぞれ２本の第１ランプピン２４，２４と各別に接触する第１接触片３ａｃ，３ａｃを備えている。また、ランプソケット１０は、第２の導電板３ｂが、１本の第２ランプピン２５と接触する一対の対向した第２接触片３ｂｃ，３ｂｃを備えている。特に、ランプソケット１０は、一対の第１の導電板３ａ，３ａおよび第２の導電板３ｂの第１の受口面１ａへの投影視（図示していない）において、一対の第１接触片３ａｃ，３ａｃ同士の間に第２接触片３ｂｃを位置してなる。これにより、本実施形態のランプソケット１０は、直管形ランプ２０の第１ランプピン２４や第２ランプピン２５を一表面５ａ側だけに挿入する２個のランプソケットを合わせた場合と比較して、ソケット本体５の厚みを薄型化することができる。したがって、ランプソケット１０は、後述の照明装置３０へのランプソケット１０の組み込み数を、たとえば、半分にすることができ、ランプソケット１０の使用材料の削減を図ることもできる。
【００４１】
また、ランプソケット１０は、ソケット本体５が２本の第１ランプピン２４，２４に給電する１組の第１の導電板３ａ，３ａと、１本の第２ランプピン２５を電気的に接地する第２の導電板３ｂとが、第１の受口面１ａと平行な面に沿って隣り合って配置されていることで、ランプソケット１０の厚みを、より薄くすることが可能となる。すなわち、ランプソケット１０は、直管形ランプ２０の第１ランプピン２３や第２ランプピン２５を一表面５ａ側だけに挿入する２つのランプソケットの機能を、１つのランプソケット１０の中にソケット本体５の厚みを変えずに持たせることができる。
【００４２】
また、本実施形態のランプソケット１０の構成は、上述の構成だけに限られず、たとえば、図５（ａ）に示すように、ソケット本体５が、少なくとも第１の受口面１ａ側から第１の受口面１ａの法線方向（図５の紙面に垂直方向）に突出して直管形ランプ２０の第１口金部２２における外周の一部を機械的に保持する保持部８，８を有する構造としてもよい。図５（ａ）に示すランプソケット１０では、カバー７の外周縁に沿って、円弧状に湾曲した一対の保持部８，８を第１の受口面１ａ側から突出させて設けている。ここで、保持部８，８は、樹脂材料により形成され弾性を有している。そのため、ランプソケット１０の第１の受口面１ａに直管形ランプ２０の第１口金部２２の突出部２２ａを接触させながら略平行な２つの直線状溝部５ｃ，５ｃの開口部である第１の挿入口２ａ，２ａに沿って２本の第１ランプピン２４，２４を挿入すると、一対の保持部８，８は、ランプソケット１０の第１口金部２２の挿入に伴って一対の保持部８，８が離れる方向に広がるように変形する。また、ランプソケット１０がソケット本体５の一表面５ａ側に直管形ランプ２０を装着させる装着位置において、第１の導電板３ａ，３ａと第１ランプピン２４，２４とが接続され、一対の保持部８，８間の間隔が略元に戻って直管形ランプ２０の第１口金部２２を保持することが可能となる。
【００４３】
なお、２つの保持部８，８の間隔は、第１口金部２２の外径よりも若干大きい寸法に設定している。また、保持部８，８の突出寸法（ボディ６の第１の受口面１ａとなる前面側から保持部８の先端までの距離）は、直管形ランプ２０の突出部２２ａの突出寸法（凹部２２ｂの前面から突出部２２ａの先端面までの距離）より大きい寸法としている。図５（ａ）では、ランプソケット１０におけるソケット本体５の一表面５ａ側にだけ保持部８，８を図示しているが、ソケット本体５の一表面５ａ側および他表面５ｂ側の少なくとも一方に設ければよい。これにより、ランプソケット１０は、より確実な直管形ランプ２０の機械的な保持が可能となる。
【００４４】
また、ランプソケット１０は、ソケット本体５の直管形ランプ２０の重力が掛かる方向（図１の紙面の上方や図５の紙面の左側方向）と平行な方向に略平行な２つの直線状溝部５ｃ，５ｃの開口部となる第１の挿入口２ａ，２ａを設ける代わりに、図５（ｂ）に示すように、ソケット本体５が、第１の受口面１ａに、直管形ランプ２０の重力が掛かる方向と垂直方向（図５の紙面の上下方向）に沿って略平行な２つの直線状溝部５ｃ，５ｃを設けてもよい。これにより、ランプソケット１０は、直線状溝部５ｃ，５ｃ自体で直管形ランプ２０の第１ランプピン２４，２４を保持することができる。
【００４５】
なお、図５（ｂ）では、図示していないが、ソケット本体５の第２の受口面１ｂにも、直管形ランプ２０の重力が掛かる方向と垂直方向に沿って直線状溝部５ｄを設けた構成とすることがより好ましい。
【００４６】
さらに、ランプソケット１０は、上述したソケット本体５の外周面６ａから中心側に直線状溝部５ｃ，５ｃの開口部だけで構成させた第１の挿入口２ａ，２ａを設ける代わりに、図５（ｃ）に示すように、ソケット本体５が、ソケット本体５の外周面６ａ側から中心部側に向かって設けられた略平行な２つの直線状溝部５ｃ，５ｃと、該直線状溝部５ｃ，５ｃの上記中心部側の端部で直線状溝部５ｃ，５ｃとそれぞれ連続し直管形ランプ２０を軸方向の回りで回転させる回転方向で第１ランプピン２４，２４を案内可能な略平行な２つの弧状溝部５ｅ，５ｅとを備えた構成としてもよい。なお、第１の挿入口２ａ，２ａは、直線状溝部５ｃ，５ｃと弧状溝部５ｅ，５ｅとの開口部であり、一表面５ａ側および他表面５ｂ側にそれぞれ直管形ランプ２０を対向して直線状に装着させる装着位置において、２本の第１ランプピン２４，２４が弧状溝部５ｅ，５ｅ内に配置された第１の接触片３ａｃ，３ａｃにそれぞれ機械的に保持される構成となる。
【００４７】
なお、図示していないが、第２ランプピン２５が挿入される第２の挿入口２ｂの直線状溝部５ｄ内に配置された第２の導電板３ｂは、第２の導電板３ｂに第２ランプピン２５が接触した状態で、第２ランプピン２５の軸部２５ａを軸方向の回りで回転自在な構成としている。これにより、直管形ランプ２０の着脱操作を、より確実に行うことが可能なランプソケット１０とすることが可能となる。
【００４８】
図５（ｃ）に示すランプソケット１０は、第１の受口面１ａと平行方向であって、直管形ランプ２０の第１ランプピン２４，２４をランプソケット１０の第１の挿入口２ａ，２ａに沿って挿入させると直線状溝部５ｃ，５ｃのソケット本体５における中心部側の端部で、第１ランプピン２４，２４の挿入が規制された状態となる。この状態で、発光ダイオードが照射面側を向くように直管形ランプ２０を軸方向の回りで所定の角度（たとえば、３０度）まで回転させる。直管形ランプ２０の回転に伴って第１ランプピン２４，２４が弧状溝部５ｅ，５ｅに沿って移動し、第１の導電板３ａの第１の接触片３ａｃと、第１ランプピン２４とが電気的に接続されるとともに直管形ランプ２０がソケットランプ１０に機械的に保持される。この時、２本の第１ランプピン２４，２４は、ボディ６の内部に配置されている２個の第１の導電板３ａ，３ａに電気的に接続されて、ランプソケット１０側から直管形ランプ２０の発光ダイオードに直流電流を供給することができる。また、ランプソケット１０に装着された直管形ランプ２０は、軸方向の回りに回転させることにより、第１ランプピン２４，２４が直管形ランプ２０の重力が掛かる方向（図５の紙面の左側方）からずれた位置となっている。また、弧状溝部５ｅ，５ｅ内の第１の接触片３ａｃ，３ａｃと第１ランプピン２４，２４とが電気的に接続され、直管形ランプ２０がソケットランプ１０に機械的に保持されている。そのため、図５（ｃ）のランプソケット１０は、単に直管形ランプ２０の重力が掛かる方向と平行方向に直線状溝部５ｃだけを設けたものと比較して、ランプソケット１０から直管形ランプ２０が脱落することを、より抑制することが可能となる。
【００４９】
すなわち、図５（ｃ）のランプソケット１０は、直管形ランプ２０の第１口金部２２を第１の受口面１ａへ当接した状態で直管形ランプ２０を軸方向の回りに回転させることにより、ランプソケット１０を装着させる場合、直管形ランプ２０の第２口金部２３側では同じ構成のランプソケット１０を備えるだけで、１本の第２ランプピン２５の軸部２５ａを第２の導電板３ｂの対向する一対の第２接触片３ｂｃ，３ｂｃ間で挟持させることができる。これにより、ランプソケット１０は、第２の受口面１ｂに回転機構を備えた回転子を別途に設ける必要がなく、第２の受口面１ｂの構成を簡単にできる。
【００５０】
次に、直管形ランプ２０をランプソケット１０に装着する方法について説明する。
【００５１】
本実施形態のランプソケット１０を備えた照明装置３０の外観斜視図を図６および図７に示す。照明装置３０は、図示していない天井材に固定して使用される。照明装置３０は、上述のランプソケット１０を備えた複数台（ここでは、３台）の照明器具３１を直線状に配列させて構成している。なお、図６（ａ），（ｂ）に示す照明装置３０では、構成を分かり易くするため、照明装置３０の一方の端部に設けられるランプソケット１０を１つ省略して図示している。
【００５２】
照明装置３０は、商用電源からの交流電圧を所定の直流電圧に変換して降圧し直管形ランプ２０に供給する点灯回路（図示せず）を、直管形ランプ２０の長さに合わせた細長い直方体状の各照明器具３１の内部にそれぞれ収納してある。照明装置３０は、照明器具３１の長手方向両端部に直管形ランプ２０を保持できるように照明器具３１の本体にランプソケット１０を突出させて備えている。３本の直管形ランプ２０における発光管２１の両端に設けられた第１口金部２２、第２口金部２３をそれぞれ対応するランプソケット１０に装着させることによって、直管形ランプ２０を照明器具３１のランプソケット１０に装着する。
【００５３】
照明装置３０には、３本の直管形ランプ２０をそれぞれ直線状に配設できるように、上述した４個のランプソケット１０を直管形ランプ２０の第１口金部２２および第２口金部２３間の長さに応じて所定の間隔で配置している。各直管形ランプ２０をランプソケット１０に装着する際には、直管形ランプ２０の第１口金部２２をランプソケット１０の第１の受口面１ａ側、直管形ランプ２０の第２口金部２３をランプソケット１０の第２の受口面１ｂ側にして、３本の直管形ランプ２０を照明器具３１側に向かって各ランプソケット１０の間にそれぞれ近付ける。そして、直管形ランプ２０は、ランプソケット１０の第１の受口面１ａにある２つの第１の挿入口２ａ，２ａ内に一対の第１ランプピン２４，２４を挿入させる。また、直管形ランプ２０は、別のランプソケット１０の第２の受口面１ｂにある１つの第２の挿入口２ｂ内に直管形ランプ２０の第２ランプピン２５を挿入させる（図６（ａ），（ｂ）の一点鎖線を参照）。
【００５４】
ランプソケット１０は、図７に示すように、一表面５ａ側および他表面５ｂ側にそれぞれ別の直管形ランプ２０，２０を対向して直線状に装着させる装着位置となるように、直管形ランプ２０の一端側の第１口金部２２をランプソケット１０側に挿入すると、２本の第１ランプピン２４，２４がそれぞれ第１の挿入口２ａ，２ａに挿入され、一対の第１の導電板３ａ，３ａがそれぞれ備える第１接触片３ａｃ，３ａｃに第１ランプピン２４が接触する状態となる。
【００５５】
同様に、ランプソケット１０は、一表面５ａ側および他表面５ｂ側にそれぞれ直管形ランプ２０を対向して直線状に装着させる装着位置となるように、直管形ランプ２０の他端側の口金ある第２口金部２３をランプソケット１０側に挿入されると、１本の第２ランプピン２５が第２の挿入口２ｂに挿入され、第２の導電板３ｂが備える第２接触片３ｂｃ，３ｂｃの間で第２ランプピン２５が接触した状態となる。
【００５６】
この状態で、直管形ランプ２０は、発光管２１内部の発光ダイオードが照明器具３１の本体と反対の照射面側を向くように、上記実装基板と第１ランプピン２４，２４や第２ランプピン２５との位置関係を規定している。この時、２本の第１ランプピン２４，２４は、ランプソケット１０のボディ６の内部に配置されている２個の第１の導電板３ａ，３ａに電気的に接続されて、照明装置３０の上記点灯回路から直管形ランプ２０の発光ダイオード側に直流電力が供給される。また、直管形ランプ２０の１本の第２ランプピン２５の径大部２５ｂは、第２の導電板３ｂと電気的に接続させることで、接地用のアースピンとなる。なお、第１ランプピン２４における板状突出部２４ａの第１の挿入口２ａへの挿入に伴って、第１の導電板３ａの第１接触片３ａｃが外側に撓められた後、第１接触片３ａｃなどの弾性力で板状突出部２４ａが第１接触片３ａｃに接触して保持される。したがって、直管形ランプ２０の各第１ランプピン２４の板状突出部２４ａが第１接触片３ａｃによって機械的に保持されているから、直管形ランプ２０の第１口金部２２がランプソケット１０から脱落することがない。
【００５７】
なお、本実施形態のランプソケット１０は、直管形ランプ２０として片側給電方式のＬ形口金付直管形ＬＥＤランプを用いて説明したが、両側給電方式の直管形ランプを装着させるために用いてもよい。すなわち、ランプソケット１０は、ソケット本体５の一表面５ａ側だけで給電させる片側給電方式だけでなく、両側給電方式の直管形ランプを装着させるために、ランプソケット１０におけるソケット本体５の一表面５ａ側および他表面５ｂ側からそれぞれ給電することが可能な構成としてもよい。また、上述の照明装置３０では、３本の直管形ランプ２０が直線状に配列されるようにランプソケット１０に装着するにあたり、全てを本実施形態のランプソケット１０で構成する必要はなく、少なくとも直管形ランプ２０を対向して直線状に装着させる照明器具３１のランプソケット１０にだけ本実施形態のランプソケット１０を備えればよい。すなわち、照明装置３１は、直管形ランプ２０の第１ランプピン２３や第２ランプピン２５を一表面５ａ側だけに挿入する図示していないランプソケットを、照明装置３１の両端部側だけに備えた構成としてもよい。
【００５８】
（実施形態２）
図８に示す本実施形態のランプソケット１０は、図１に示した実施形態１のように、直管形ランプ２０の第１口金部２２が装着される第１の受口面１ａに沿って、第１の受口面１ａと平行方向に直管形ランプ２０を移動させて第１の挿入口２ａに第１ランプピン２４，２４を挿入させる構成とする代わりに、ソケット本体５の内部側に移動可能なプランジャ９を用い、第１口金部２２が装着される第１の受口面１ａと垂直方向の第１の挿入口２ａ，２ａに直管形ランプ２０の第１ランプピン２４，２４を挿入させる構成とした点が相違する。なお、図中において実施形態１と同じ部材に対しては、同じ番号を付して説明を省略している。
【００５９】
本実施形態のランプソケット１０は、図８（ａ），（ｂ）に示すように、ソケット本体５が、ソケット本体５の一表面５ａ側に設けられ該一表面５ａと垂直方向に突出しソケット本体５の内部側に移動可能なプランジャ９と、ソケット本体５の内部にあってソケット本体５の内部側からソケット本体５の外部側にプランジャ９を押圧する押圧部材９ａ，９ａとを有している。
【００６０】
本実施形態のランプソケット１０は、プランジャ９が第１の受口面１ａを備え、第１の受口面１ａは、該第１の受口面１ａと垂直方向に２本の第１ランプピン２４，２４が挿入されて該第１ランプピン２４，２４と第１の導電板３ａ，３ａとが電気的に接続される一対の第１の挿入口２ａ，２ａを備えている。また、ランプソケット１０は、プランジャ９の突出した位置からランプソケット１０の一表面５ａ側および他表面５ｂ側にそれぞれ直管形ランプ２０を対向して直線状に装着させる装着位置に至るまでにプランジャ９の移動方向と垂直方向において、第１の導電板３ａと第２の導電板３ｂとが隣り合って配置されるように構成している。
【００６１】
より具体的には、ランプソケット１０は、直管形ランプ２０の軸方向に沿ってソケット本体５の内部方向に移動可能で第１の受口面１ａを備えたプランジャ９を有している。ランプソケット１０は、一表面５ａ側となるプランジャ９の円筒状の各第１の挿入口２ａの内底面側に、直管形ランプ２０の２本の第１ランプピン２４，２４と各別に接触させる第１の導電板３ａにおける平板状の第１接触片３ａｇをそれぞれ備えている。また、ランプソケット１０は、他表面５ｂ側の円筒状の第２の挿入口２ｂの内底面側に別の直管形ランプ２０の１本のランプピン２５と接触させる第２の導電板３ｂにおける平板状の第２接触片３ｂｆを備えている。
【００６２】
プランジャ９は、ソケット本体５の内部側からソケット本体５の外側方向に金属製のコイルバネからなる押圧部材９ａ，９ａにより押圧されている。これにより、ランプソケット１０は、直管形ランプ２０を装着する際に、プランジャ９に設けられた第１の挿入口２ａにランプピン２０を挿入し、プランジャ９をソケット本体５の内部方向に押し込みながら、他方の受口面１ｂに設けられた第２の挿入口２ｂにランプピン２５を挿入することができる。ここで、プランジャ９は、電気絶縁性を有する合成樹脂の成形品からなり、ランプソケット１０のカバー７に設けた軸穴６ｇにプランジャ９を嵌挿させている。
【００６３】
金属製のコイルバネからなる各押圧部材９ａ，９ａの一端部側は、各押圧部材９ａの一端部側それぞれを固定する金属材料からなる固定片３ａｉ，３ａｉと、第１の挿入口２ａの上記内底面側に設けた第１の導電板３ａ，３ａの第１接触片３ａｇ，３ａｇとを金属材料からなる接続部３ａｈ，３ａｈを介して電気的に接続させている。さらに、押圧部材９ａ，９ａの他端部側は、接続板９ｂ，９ｂを介して外部から第１接触片３ａｇ，３ａｇ側と電気的に接続可能に構成させている。なお、プランジャ９は、ソケット６の内部側から押圧部材９ａ，９ａとして金属製のコイルバネを用いているが、コイルバネだけに限らず板バネなどプランジャ９をソケット６の外側方向に押圧できるものであれば種々のものを用いることができる。
【００６４】
なお、プランジャ９は、一表面５ａ側に設けるものだけに限らず、一表面５ａ側の代わりに他表面５ｂ側に設けてもよい。この場合、ソケット本体５の他表面５ｂ側に設けられるプランジャ９は、第２の受口面１ｂを備え、該第２の受口面１ｂは、第２の受口面１ｂと垂直方向に１本の第２ランプピン２５が挿入されて該第２ランプピン２５と第２の導電板３ｂとが電気的に接続される第２の挿入口２ｂを備えればよい。また、ランプソケット１０は、ソケット本体５の他表面５ｂ側に設けられたプランジャ９の突出した位置から直管形ランプ２０の装着位置に至るまでにプランジャ９の移動方向と垂直方向において、第１の導電板３ａと第２の導電板３ｂとが隣り合って配置されてなる構造とすればよい。
【００６５】
本実施形態のランプソケット１０は、直管形ランプ２０の第１ランプピン２４が第１の受口面１ａと略垂直方向に挿入する第１の挿入口２ａを備えたプランジャ９や直管形ランプ２０の第２ランプピン２５が第２の受口面１ｂと略垂直方向に挿入する第２の挿入口２ｂを備えたプランジャ９を有することにより、直管形ランプ２０を比較的簡単にランプソケット１０に装着することが可能となる。
【００６６】
（実施形態３）
以下に、実施形態１で説明したランプソケット１０を備える照明装置３０について図９の概略構成図を参照して説明する。
【００６７】
本実施形態の照明装置３０は、複数本（ここでは、２本）の直管形ランプ２０を直線状に配置させることが可能な直方体状の照明器具３１を備えている。照明器具３１には、２本の直管形ランプ２０を装着して給電するための２個の実施形態１のランプソケット１０と、直管形ランプ２０の接地端子となる第２ランプピン２５だけを保持可能なランプソケット１１とを備えている。照明器具３１の内部には、商用電源ＡＣからの電源線が接続される端子台３３と、端子台３３を介して入力される商用電源ＡＣからの交流電圧を直管形ランプ２０に適合した所定の電圧に変換する点灯回路３２が収納されている。点灯回路３２の出力端子は、内部配線３４を介してランプソケット１０，１０に接続されており、ランプソケット１０，１０に装着された直管形ランプ２０の第１口金部２２側から給電される。また、点灯回路３２のアース端子部は、内部配線３６を介して中央のランプソケット１０と、照明器具３１の一方の端部（図９の右側）に設けたランプソケット１１とにそれぞれ電気的に接続されている。
【００６８】
これにより、直線状に配設される２本の直管形ランプ２０の間に、実施形態１のランプソケット１０を備えた照明装置３０は、ランプソケット１１をそれぞれの直管形ランプ２０に対応して別個に設けるものと比較して、直管形ランプ２０の軸方向の長さを短くすることができる。本実施形態のランプソケット１０を用いた照明装置３０は、ランプソケット１０の厚みが薄型化することが可能なため、非発光領域がより小さい照明装置３０とすることが可能となる。
【符号の説明】
【００６９】
１ａ  第１の受口面
１ｂ  第２の受口面
２ａ  第１の挿入口
２ｂ  第２の挿入口
３  導電部
３ａ  第１の導電板
３ａｃ  第１接触片
３ｂ  第２の導電板
３ｂｃ  第２接触片
５  ソケット本体
５ａ  一表面
５ｂ  他表面
５ｃ  直線状溝部
５ｅ  弧状溝部
６ａ  外周面
８  保持部
９  プランジャ
９ａ  押圧部材
１０  ランプソケット
２０  直管形ランプ
２２  第１口金部
２３  第２口金部
２４  第１ランプピン
２５  第２ランプピン
３０  照明装置
３１  照明器具
【図１】
0005572073.tif 000002
【図２】
0005572073.tif 000003
【図３】
0005572073.tif 000004
【図４】
0005572073.tif 000005
【図５】
0005572073.tif 000006
【図６】
0005572073.tif 000007
【図７】
0005572073.tif 000008
【図８】
0005572073.tif 000009
【図９】
0005572073.tif 000010